(57)【要約】【課題】この発明は、棒状の工具と係合する工具係合部を備えたテンショナブラケットを形成する際、ベルト張力調整装置の構造を簡素化して製造性を向上させ、ベルト張力調整装置を小型化して周辺空間の少ない場所にも配設できる構造とすることを目的とする。【解決手段】この発明は、ベルト張力調整装置において、テンショナブラケットを揺動軸用孔部が設けられる第１平面部と、固定具用孔部が設けられる第２平面部と、これら両者の間を連絡する連絡面部とを有する薄板で形成し、連絡面部に第１平面部または第２平面部の少なくとも一方と段差をなす段差部を形成し、この段差部の幅方向端部に棒状の工具と当接する当接部を形成する一方、この当接部と反対側から棒状の工具の周面に係止する係止片をテンショナブラケットの外周部に形成し、当接部と係止片とによって工具係合部を構成したことを特徴とする。【選択図】図１
2008064172.tif 000002
【特許請求の範囲】
【請求項１】
複数のプーリ間に動力を伝達するベルトを巻き掛け、このベルトに張力を与えるテンショナプーリをテンショナブラケットに取り付け、このテンショナブラケットに揺動軸を挿入する揺動軸用孔部と、固定具を挿入する固定具用孔部と、棒状の工具と係合する工具係合部とを設け、ベルト張力調整時に、前記テンショナブラケットを前記工具によって前記揺動軸の回りに揺動させるとともに前記固定具によって所定位置に固定するベルト張力調整装置において、前記テンショナブラケットを前記揺動軸用孔部が設けられる第１平面部と、前記固定具用孔部が設けられる第２平面部と、これら両者の間を連絡する連絡面部とを有する薄板で形成し、前記連絡面部に前記第１平面部または前記第２平面部の少なくとも一方と段差をなす段差部を形成し、この段差部の幅方向端部に前記棒状の工具と当接する当接部を形成する一方、この当接部と反対側から前記棒状の工具の周面に係止する係止片を前記テンショナブラケットの外周部に形成し、前記当接部と前記係止片とによって前記工具係合部を構成したことを特徴とするベルト張力調整装置。
【請求項２】
前記連絡面部に前記段差部を介して前記第１平面部と平行に延びるプーリ支持面を形成し、このプーリ支持面に前記テンショナプーリを支持させて前記連結面部に取り付けたことを特徴とする請求項１に記載のベルト張力調整装置。
【請求項３】
前記固定具用孔部を前記揺動軸用孔部と同一中心を有する円弧状の長孔に形成し、前記テンショナブラケットの輪郭線を前記固定用孔部と前記揺動軸用孔部を囲む扇形に形成し、前記当接部を扇形の直線部分に配設したことを特徴とする請求項１に記載のベルト張力調整装置。
【発明の詳細な説明】
【技術分野】
【０００１】
この発明はベルト張力調整装置に係り、特に、複数のプーリ間に巻き掛けられたベルトの張力を、テンショナプーリによって調整するベルト張力調整装置に関する。
【背景技術】
【０００２】
内燃機関においては、ウォータポンプやオルタネータ等の補機類を設け、これらの補機類を駆動するために、各補機類の軸やクランク軸に設けた複数のプーリ間に動力を伝達するベルトを捲き掛けている。内燃機関は、このベルトに適正な張力を与えて動力を伝達するために、ベルト張力調整装置を備えている。
【０００３】
従来のベルト張力調整装置には、複数のプーリ間に動力を伝達するベルトを巻き掛け、このベルトに張力を与えるテンショナプーリをアジャストボルトで移動させ、ベルト張力を調整する構造のものがある。
【特許文献１】実開平５−３７１０号公報
【０００４】
また、従来のベルト張力調整装置には、テンショナプーリを回転可能に支持するテンショナブラケットの基端部をテンショナプーリの回転軸に平行なボルトによって台座に締結するとともに、テンショナブラケットの先端に工具を係合する工具係合部を形成する構造のものがある。
【特許文献２】実開平２−８４０４２号公報
【発明の開示】
【発明が解決しようとする課題】
【０００５】
ところが、前記特許文献１のベルト張力調整装置は、アジャストボルトによってテンショナプーリを移動させる構造であるため、部品点数が増加するとともに、組付け作業性が低下する問題があった。
上記問題を解決するために、前記特許文献２のベルト張力調整装置は、テンショナプーリを回転可能に支持して台座に基端側をボルトにより締結されるテンショナブラケットを設け、このテンショナブラケットの先端に張力調整用の工具を係合する工具係合部を形成した構造としている。
しかし、前記特許文献２のベルト張力調整装置は、工具係合部が、張力調整用の工具であるエクステンションバーと係合する溝や、モンキースパナで挟持する平行面を形成した構造であるため、テンショナブラケット自体を厚さの厚い材料で形成する必要があるとともに、溝や平行面の幅の寸法精度を所定範囲に管理することが必要であり、製造性が悪化する問題があった。
【０００６】
この発明は、棒状の工具と係合する工具係合部を備えたテンショナブラケットを形成する際、ベルト張力調整装置の構造を簡素化して製造性を向上させるとともに、ベルト張力調整装置を小型化して周辺空間の少ない場所にも配設できる構造とすることが目的である。
【課題を解決するための手段】
【０００７】
この発明は、複数のプーリ間に動力を伝達するベルトを巻き掛け、このベルトに張力を与えるテンショナプーリをテンショナブラケットに取り付け、このテンショナブラケットに揺動軸を挿入する揺動軸用孔部と、固定具を挿入する固定具用孔部と、棒状の工具と係合する工具係合部とを設け、ベルト張力調整時に、前記テンショナブラケットを前記工具によって前記揺動軸の回りに揺動させるとともに前記固定具によって所定位置に固定するベルト張力調整装置において、前記テンショナブラケットを前記揺動軸用孔部が設けられる第１平面部と、前記固定具用孔部が設けられる第２平面部と、これら両者の間を連絡する連絡面部とを有する薄板で形成し、前記連絡面部に前記第１平面部または前記第２平面部の少なくとも一方と段差をなす段差部を形成し、この段差部の幅方向端部に前記棒状の工具と当接する当接部を形成する一方、この当接部と反対側から前記棒状の工具の周面に係止する係止片を前記テンショナブラケットの外周部に形成し、前記当接部と前記係止片とによって前記工具係合部を構成したことを特徴とする。
【発明の効果】
【０００８】
この発明のベルト張力調整装置は、棒状の工具と係合する工具係合部を備えたテンショナブラケットを形成する際、工具係合部をテンショナブラケットに一体で且つ、薄板に簡単な曲げ加工を行うことで形成できる。これによって、この発明のベルト張力調整装置は、テンショナブラケットの構造を簡素化してベルト張力調整装置の製造性及び組付け作業性を向上できる。
【発明を実施するための最良の形態】
【０００９】
この発明のベルト張力調整装置は、棒状の工具と係合する工具係合部を、テンショナブラケットに一体で且つ、薄板に簡単な曲げ加工で形成することで、テンショナブラケットの構造を簡素化してベルト張力調整装置の製造性及び組付け作業性を向上するものである。
以下図面に基づいて、この発明の実施例を説明する。
【実施例】
【００１０】
図１〜図３は、この発明の実施例を示すものである。図１は内燃機関の正面図、図２はベルト張力調整装置の斜視図、図３はテンショナブラケットの正面図及び断面図である。
図１において、１は内燃機関、２はシリンダブロック、３はシリンダヘッド、４はシリンダヘッドカバー、５はオイルパン、６はチェーンカバー、７はクランク軸、８は吸気マニホルドである。内燃機関１は、シリンダ軸線Ｃが水平線Ｈに近づくように傾けて車両に搭載されている。
内燃機関１は、チェーンカバー６から突出されるクランク軸７に２つのクランクプーリ９・１０を取り付け、シリンダブロック２の下方且つオイルパン５の上方に補機であるオルタネータ１１を配設してオルタネータ軸１２にオルタネータプーリ１３を取り付け、シリンダブロック２の上方の側部に補機であるウォータポンプ１４を設けてポンプ軸１５にポンププーリ１６を取り付けている。
内燃機関１は、一方のクランクプーリ９とオルタネータプーリ１３とに補機駆動用のベルト１７を巻き掛け、クランク軸７の回転をベルト１７を介してオルタネータ軸１２に伝達し、オルタネータ１１を駆動する。また、内燃機関１は、他方のクランクプーリ１０とポンププーリ１６とに補機駆動用のベルト１８を巻き掛け、クランク軸７の回転をベルト１８を介してポンプ軸１５に伝達し、ウォータポンプ１４を駆動する。
内燃機関１は、前記クランクプーリ９とオルタネータプーリ１３とに巻き掛けられたベルト１７の張力を調整するベルト張力調整装置１９を備えている。ベルト張力調整装置１９は、シリンダブロック２の上方の側部であってシリンダブロック２の下部に取り付けたオルタネータブラケット２０にオルタネータ１１の径方向一側を揺動軸である揺動ボルト２１により揺動可能に取り付け、オイルパン５の上方の側部に取り付けたオルタネータアーム２２の固定具用孔部２３にオルタネータ１１の径方向他側を固定具である固定ボルト２４により固定している。
このベルト張力調整装置１９は、ベルト１７の張力調整時に、図１に矢印で示すようにオルタネータ１１を引張り、オルタネータ１１を径方向一側を中心として揺動ボルト２１の回りに揺動させ、オルタネータ１１の径方向他側をオルタネータアーム２２の固定具用孔部２３に沿って移動させ、固定ボルト２４によってオルタネータ１１の径方向他側を、ベルト１７に適正な張力を与えるようにオルタネータアーム２２の所定位置に固定する。
【００１１】
また、この内燃機関１は、前記クランクプーリ１０とポンププーリ１６とに巻き掛けられたベルト１８の張力を調整するベルト張力調整装置２５を備えている。ベルト張力調整装置２５は、図２に示すように、ベルト１８に張力を与えるテンショナプーリ２６をテンショナブラケット２７にプーリ取付ボルト２８により回転自在に取り付けている。このテンショナブラケット２７には、揺動軸となる揺動ボルト２９を挿入する揺動軸用孔部３０と、固定具となる固定ボルト３１を挿入する固定具用孔部３２と、棒状の工具３３と係合する工具係合部３４とを設けている。テンショナブラケット２７は、シリンダブロック２の上方の側部であってシリンダブロック２の下部に取り付けた前記オルタネータブラケット２０に、揺動軸用孔部３０側を揺動ボルト２９により揺動可能に取り付けている。
このベルト張力調整装置２５は、ベルト１８の張力調整時に、図１に矢印で示すように工具３３を引張り、テンショナブラケット２７を工具３３によって揺動ボルト２９の回りに揺動させるとともに、テンショナブラケット２７の固定具用孔部３２側を固定ボルト３１に沿って移動させ、固定ボルト３１によってテンショナブラケット２７の固定具用孔部３２側を、ベルト１８に適正な張力を与えるようにシリンダブロック２の所定位置に固定する。
このウォータポンプ１４を駆動するベルト１８のベルト張力調整装置２５は、図３に示すように、テンショナブラケット２７を、揺動軸用孔部３０が設けられる第１平面部３５と、固定具用孔部３２が設けられる第２平面部３６と、これら両者３５・３６の間を連絡する連絡面部３７とを有する薄板で形成している。
前記連絡面部３７には、第１平面部３５または第２平面部３６の少なくとも一方と段差をなす段差部を形成している。この実施例のテンショナブラケット２７は、連絡面部３７の第１平面部３５側と第２平面部３６側とを同じ面側（図３（Ｂ）において、連絡面部３７の右面側）に折曲し、第１平面部３５側に第１段差部３８を形成するとともに、第２平面部３６側に第２段差部３９を形成している。連絡面部３７は、第１段差部３８により第１平面部３５に対して距離Ｌ１だけ平行にオフセットして形成される。第２平面部３６は、第２段差部３９により連絡面部３７に対して距離Ｌ２だけ平行にオフセットして形成される。
この第１段差部３５の幅方向一側（図３（Ａ）の左右方向における左側）の端部には、棒状の工具３３の周面と当接する当接部４０を形成している。一方、テンショナブラケット２７の外周部にある第２平面部３６の幅方向一側（図３（Ａ）の左右方向における左側）の端部には、当接部４０が当接する工具３３の周面に対して、径方向の反対側から工具３３の周面に係止する係止片４１を形成している。係止片４１は、第２平面部３６の幅方向一側の端部から平行に延長された延長部４２の先端に、この延長部４２と直交するように立設して形成している。これら当接部４０と係止片４１とによって、前記工具係合部３４を構成している。
これにより、このベルト張力調整装置２５は、棒状の工具３３と係合する工具係合部３４を備えたテンショナブラケット２７を形成する際、工具係合部３４を構成する当接部４０と係止片４１とをテンショナブラケット２７に一体で且つ、薄板に簡単な曲げ加工を行うことで形成することができる。
このため、このベルト張力調整装置２５は、テンショナブラケット２７の構造を簡素化してベルト張力調整装置２５の製造性及び組付け作業性を向上することができる。
前記テンショナブラケット２７は、図３（Ｂ）に示すように、連絡面部３７を第１段差部３８により第１平面部３５に対して平行にオフセットし、連絡面部３７に第１段差部３８を介して第１平面部３５と平行に延びるプーリ支持面４３を形成している。連絡面部３７には、プーリ支持面４３から反対側の面に貫通するプーリ取付孔４４を形成し、プーリ支持面４３と反対側の面にプーリ取付孔４４と中心が一致するプーリ取付ナット４５を固着している。連絡面部３７には、テンショナプーリ２６に挿通したプーリ取付ボルト２８をプーリ取付孔４４を介してプーリ取付ナット４５に螺着することにより、プーリ支持面４３にテンショナプーリ２６を支持させて回転自在に取り付けている。
これにより、このベルト張力調整装置２５は、テンショナプーリ２６の回転軸（この実施例においては、プーリ取付ボルト２８）を延長することなく、テンショナプーリ２６の幅方向中心（ベルト溝の中心）をベルト１８の幅方向中心（ベルト幅の中心）に合わせることができ、ベルト張力調整装置２５の製造性を向上できる。
前記テンショナブラケット２７は、図３（Ａ）に示すように、第２平面部３６に固定具用孔部２３を揺動軸用孔部３０と同一中心を有する円弧状の長孔に形成し、テンショナブラケット２７の輪郭線を固定具用孔部３２と揺動軸用孔部３０を囲む扇形に形成し、当接部４０を扇形の直線部分に配設している。
これにより、このベルト張力調整装置２５は、テンショナブラケット２７を小型化してベルト張力調整装置２５の製造性を向上させるとともに、周辺空間の少ない場所にも配設することができる。
前記テンショナブラケット２７は、連絡面部３７の幅方向一側（図３（Ａ）の左右方向における左側）の端部に、棒状の工具３３の周面と当接する突起部４６を形成している。突起部４６は、当接部４０及び係止片４１に当接された棒状の工具３３の中間であって、当接部４０及び係止片４１が径方向の反対側から当接する工具３３の周面に対して、径方向において直交する側であって且つ前記延長部４２に対して径方向の反対側から工具３３の周面に当接するように、連絡面部３７の幅方向一側の端部に形成している。
これにより、このベルト張力調整装２５は、当接部４０と係止片４１とに係合した工具３３によりベルト１８の張力を調整する際に、工具３３の周面に径方向の反対側から当接する当接部４０及び係止片４１と、これら当接部４０及び係止片４１と直交する側であって径方向の反対側から工具３３の周面に当接する延長部４２及び突起部４５とによって、工具３３を４方向から支持することができ、工具３３の外れを確実に防止して調整作業を容易に行うことができる。
【産業上の利用可能性】
【００１２】
この発明のベルト張力調整装置は、テンショナブラケットの構造を簡素化してベルト張力調整装置の製造性及び組付け作業性を向上できるものであり、車両に搭載される各種の内燃機関のベルト張力調整装置に適用することができる。
【図面の簡単な説明】
【００１３】
【図１】実施例を示すベルト張力調整装置を備えた内燃機関の正面図である。
【図２】実施例を示すベルト張力調整装置の斜視図である。
【図３】実施例を示し、（Ａ）はテンショナブラケットの正面図、（Ｂ）はＢ−Ｂ線によるテンショナブラケットの断面図である。
【符号の説明】
【００１４】
１  内燃機関
７  クランク軸
１０  クランクプーリ
１４  ウォータポンプ
１６  ポンププーリ
１８  ベルト
２５  ベルト張力調整装置
２６  テンショナプーリ
２７  テンショナブラケット
２８  プーリ取付ボルト
２９  揺動ボルト
３０  揺動軸用孔部
３１  固定ボルト
３２  固定具用孔部
３３  工具
３４  工具係合部
３５  第１平面部
３６  第２平面部
３７  連絡面部
３８  第１段差部
３９  第２段差部
４０  当接部
４１  係止片
４６  突起部
【図１】
2008064172.tif 000003
【図２】
2008064172.tif 000004
【図３】
2008064172.tif 000005